(57)【特許請求の範囲】
【請求項１】
入力された画像信号に基づき画像を表示する表示部、及び、該表示部へ入力する画像信号に対し処理を行なう信号処理部を備える表示システムにおいて、
前記表示部を撮像する撮像部を更に備え、
前記表示部へ入力する画像コンテンツの画像信号に基づく画像の内、略均一な輝度又は色を有する領域を抽出する抽出手段と、
前記画像コンテンツの画像信号に基づく画像を表示中に該抽出手段が抽出した領域を含む画像が前記表示部に表示されるタイミングを特定する手段と、
該手段が特定したタイミングで前記撮像部による撮像を実行させる手段と、
前記撮像部により撮像された画像の内、前記抽出手段が抽出した領域に対応する領域を特定する特定手段と、
抽出した領域の輝度又は色と、前記特定手段が特定した領域の輝度又は色とを比較する手段と、
比較結果に基づき、画像信号を補正する補正手段と
を備えることを特徴とする表示システム。
【請求項２】
前記表示部は、入力された画像信号に基づく画像を各表示する複数のパネルが並設されており、
前記信号処理部は、１つの画像の画像信号を前記複数のパネルの配置に対応させて複数に分割した画像信号を夫々、前記複数のパネルへ入力する手段を備え、
前記抽出手段は、分割された画像信号に基づく画像の内の一部及び全部から夫々、略均一な輝度又は色を有する領域を抽出するようにしてあること
を特徴とする請求項１に記載の表示システム。
【請求項３】
前記信号処理部は、時系列的に連続する複数の画像の画像信号を前記表示部へ順次入力する手段を備え、
前記抽出手段は、複数の異なる輝度又は色別に、前記複数の画像から、前記輝度で表示される領域又は前記色を含む領域を抽出するようにしてあり、
領域が抽出された画像を特定する情報、該情報にて特定される画像中の抽出された領域を特定する情報、及び、前記抽出された領域の輝度又は色の情報を記憶する手段を更に備えること
を特徴とする請求項１又は２に記載の表示システム。
【請求項４】
入力された画像信号に基づき画像を表示する表示部、該表示部へ入力する画像信号に対し処理を行なう信号処理部、及び、前記表示部を撮像する撮像部を備える表示システムにて、入力する画像信号が示す輝度又は色と、前記画像信号に基づき前記表示部で表示される画像の輝度又は色との関係を較正する較正方法であって、
前記表示部へ入力する画像コンテンツの画像信号に基づく画像の内、略均一な輝度又は色を有する領域を抽出し、
前記画像コンテンツの画像信号に基づく画像を表示中に、抽出した領域を含む画像が前記表示部に表示されるタイミングを特定し、
特定したタイミングで前記撮像部により撮像を実行させ、
撮像された画像の内、抽出した領域に対応する領域を特定し、
抽出した領域の輝度又は色と、特定した領域の輝度又は色とを比較し、
比較結果に基づき、入力する画像信号を補正する
ことを特徴とする表示システムの較正方法。
【請求項５】
入力された画像信号に基づき画像を表示する表示装置へ入力する画像信号に対する処理を行なう信号処理装置、及び前記表示装置を撮像する撮像装置に接続され、前記信号処理装置及び前記撮像装置を制御するコンピュータに、入力する画像信号が示す輝度又は色と、前記画像信号に基づき前記表示装置で表示される画像の輝度又は色との間の関係の較正処理を実行させるコンピュータプログラムにおいて、
前記コンピュータに、
前記表示装置へ入力する画像コンテンツの画像信号に基づく画像の内、略均一な輝度又は色を有する領域を抽出するステップ、
前記画像コンテンツの画像信号に基づく画像を表示中に、抽出した領域を含む画像が前記表示装置に表示されるタイミングを特定するステップ、
特定したタイミングで前記撮像装置による撮像を実行させるステップ、
撮像された画像の内、抽出した領域に対応する領域を特定するステップ、
抽出した領域の輝度又は色と、特定した領域の輝度又は色とを比較するステップ、
比較結果に基づき画像信号を補正するステップ
とを実行させることを特徴とするコンピュータプログラム。
【請求項６】
請求項５に記載されたコンピュータプログラムが、コンピュータによって読み取り可能に記録されてあることを特徴とする記録媒体。
【発明の詳細な説明】
【技術分野】
【０００１】
本発明は、表示部の輝度ムラ又は色ムラなどの較正を行なう表示システムに関する。特に、コンテンツを表示している間に較正を実施することができる表示システム、表示システムの較正方法、コンピュータに前記較正方法を実施させるコンピュータプログラム、及び該コンピュータプログラムが記録された記録媒体に関する。
【背景技術】
【０００２】
近年、ＬＣＤ（Liquid Crystal Display）又はプラズマディスプレイを表示部に用いた表示装置を複数台並べ、１つの大型表示画面を構成するマルチディスプレイシステム（又はマルチビジョンシステム）が使用されている。マルチディスプレイシステムは、複数台で大型表示画面を構成することで、大きな画像を表示するだけでなく、各表示装置で表示させる画像を変えたり、対称的に配置された表示装置が同一の画像を表示したりするなど、様々な視覚的効果を演出することができる。このような効果により、マルチディスプレイシステムは、大きな宣伝効果を得るために電子看板（デジタルサイネージ）に利用される。また、マルチディスプレイシステムは、催し物会場又は公共施設等の広い場所で、効果的な映像中継、又は演出の用途で利用されることもある。
【０００３】
マルチディスプレイシステムでは、複数台の表示装置の表示部で１つの画像を表示するなど、隣り合う表示装置で画像が連続する場合があるので、各々の表示部間の色差及び輝度差の低減を必要とする。これに対し、表示部の色表現や輝度階調特性などの表示特性には個体差がある。更には、表示特性の温度変化や経年劣化により、色ズレ又は輝度の変化が起こる。したがって、マルチディスプレイシステムでは、複数台の表示装置の表示部間の色差及び輝度差を低減するための較正を、定期的に実施する必要がある。このような較正を簡易且つ効率的に実施できることが、マルチディスプレイシステムの普及に伴って重要度を増している。
【０００４】
簡易な較正方法の例として、特許文献１には、表示部に基準となるカラーチャートを表示させてデジタルカメラで撮像した画像の画像信号から、表示部のプロファイルを取得する方法が開示されている。なお、特許文献１における方法では、撮像した画像の画像信号から撮像デバイスに依存しない色空間で表現される画像信号、即ち、較正対象の表示部固有の色空間の画像信号を取得するために、撮像デバイス（イメージセンサ）のプロファイルを画像信号に適用してイメージセンサ固有の色空間の要素を除去するように変換している。
【先行技術文献】
【特許文献】
【０００５】
【特許文献１】特開２００７−２０８６２９号公報
【発明の概要】
【発明が解決しようとする課題】
【０００６】
特許文献１に開示された方法によれば、表示装置の表示部の色を検知する高価な測色機を用いることなしに、デジタルカメラを用いる簡易な構成にてキャリブレーションを実行することができる。
【０００７】
しかしながら、特許文献１におけるカラーチャートなど、特定のキャリブレーション用の画像を表示させて較正を行なう方法では、表示中の静止画像又は動画像などの画像コンテンツを一旦停止させる必要がある。特に、電子看板として常時的に使用しているマルチディスプレイシステムの表示部を較正対象とする場合、広告用の画像コンテンツの再生を停止させなければならず、一時的に電子看板としての機能を失わせることになる。これに対し、夜間など、人間がマルチディスプレイシステムの表示部を注視しない時間帯に、較正を行なうことが考えられる。ただし、この場合、較正が行なわれる夜間までの一定期間、色ズレなどが起こって画質が低下している状態のまま、画像コンテンツが再生されることになる。
【０００８】
本発明は斯かる事情に鑑みてなされたものであり、画像コンテンツを再生中であっても効率的に較正を行なうことが可能であり、較正の実行に要する時間とコストを低減させることができる表示システム、該表示システムの較正方法、コンピュータに前記較正方法を実施させるコンピュータプログラム、及び該コンピュータプログラムが記録された記録媒体を提供することを目的とする。
【課題を解決するための手段】
【０００９】
本発明に係る表示システムは、入力された画像信号に基づき画像を表示する表示部、及び、該表示部へ入力する画像信号に対し処理を行なう信号処理部を備える表示システムにおいて、前記表示部を撮像する撮像部を更に備え、前記表示部へ入力する画像コンテンツの画像信号に基づく画像の内、略均一な輝度又は色を有する領域を抽出する抽出手段と、前記画像コンテンツの画像信号に基づく画像を表示中に該抽出手段が抽出した領域を含む画像が前記表示部に表示されるタイミングを特定する手段と、該手段が特定したタイミングで前記撮像部による撮像を実行させる手段と、前記撮像部により撮像された画像の内、前記抽出手段が抽出した領域に対応する領域を特定する特定手段と、抽出した領域の輝度又は色と、前記特定手段が特定した領域の輝度又は色とを比較する手段と、比較結果に基づき、画像信号を補正する補正手段とを備えることを特徴とする。
【００１０】
本発明に係る表示システムは、前記表示部は、入力された画像信号に基づく画像を各表示する複数のパネルが並設されており、前記信号処理部は、１つの画像の画像信号を前記複数のパネルの配置に対応させて複数に分割した画像信号を夫々、前記複数のパネルへ入力する手段を備え、前記抽出手段は、分割された画像信号に基づく画像の内の一部及び全部から夫々、略均一な輝度又は色を有する領域を抽出するようにしてあることを特徴とする。
【００１１】
本発明に係る表示システムは、前記信号処理部は、時系列的に連続する複数の画像の画像信号を前記表示部へ順次入力する手段を備え、前記抽出手段は、複数の異なる輝度又は色別に、前記複数の画像から、前記輝度で表示される領域又は前記色を含む領域を抽出するようにしてあり、領域が抽出された画像を特定する情報、該情報にて特定される画像中の抽出された領域を特定する情報、及び、前記抽出された領域の輝度又は色の情報を記憶する手段を更に備えることを特徴とする。
【００１２】
本発明に係る表示システムの較正方法は、入力された画像信号に基づき画像を表示する表示部、該表示部へ入力する画像信号に対し処理を行なう信号処理部、及び、前記表示部を撮像する撮像部を備える表示システムにて、入力する画像信号が示す輝度又は色と、前記画像信号に基づき前記表示部で表示される画像の輝度又は色との関係を較正する較正方法であって、前記表示部へ入力する画像コンテンツの画像信号に基づく画像の内、略均一な輝度又は色を有する領域を抽出し、前記画像コンテンツの画像信号に基づく画像を表示中に、抽出した領域を含む画像が前記表示部に表示されるタイミングを特定し、特定したタイミングで前記撮像部により撮像を実行させ、撮像された画像の内、抽出した領域に対応する領域を特定し、抽出した領域の輝度又は色と、特定した領域の輝度又は色とを比較し、比較結果に基づき、入力する画像信号を補正することを特徴とする。
【００１３】
本発明に係るコンピュータプログラムは、入力された画像信号に基づき画像を表示する表示装置へ入力する画像信号に対する処理を行なう信号処理装置、及び前記表示装置を撮像する撮像装置に接続され、前記信号処理装置及び前記撮像装置を制御するコンピュータに、入力する画像信号が示す輝度又は色と、前記画像信号に基づき前記表示装置で表示される画像の輝度又は色との間の関係の較正処理を実行させるコンピュータプログラムにおいて、前記コンピュータに、前記表示装置へ入力する画像コンテンツの画像信号に基づく画像の内、略均一な輝度又は色を有する領域を抽出するステップ、前記画像コンテンツの画像信号に基づく画像を表示中に、抽出した領域を含む画像が前記表示装置に表示されるタイミングを特定するステップ、特定したタイミングで前記撮像装置による撮像を実行させるステップ、撮像された画像の内、抽出した領域に対応する領域を特定するステップ、抽出した領域の輝度又は色と、特定した領域の輝度又は色とを比較するステップ、比較結果に基づき画像信号を補正するステップとを実行させることを特徴とする。
【００１４】
本発明に係る記録媒体は、上記発明に係るコンピュータプログラムが、コンピュータによって読み取り可能に記録されてあることを特徴とする。
【００１５】
本発明では、表示部へ画像コンテンツの画像信号を入力して表示させる画像から、略均一な輝度又は色である領域が抽出され、抽出された領域を含む画像が表示部で表示されるタイミングに、当該画像を表示中の表示部が撮像される。領域が抽出される画像は、較正用の特別な画像でなく、画像コンテンツの画像信号に基づく画像でよい。そして撮像された画像の内、略均一な輝度又は色であるとして抽出されてある領域を撮像した領域が特定され、特定された領域の輝度又は色に基づき、入力した画像信号の輝度又は色と、表示される輝度又は色との関係が特定される。これにより、画像コンテンツの表示中に較正が可能となり、以後入力する画像信号に対する補正が可能となる。
【００１６】
本発明では、表示部が複数のパネルを並置させて構成され、１つの画像が前記複数のパネルの配置に応じて分割され、表示部全体で１つの画像が表示される場合に、各パネルへ入力される分割された画像の内の一部又は全部から夫々、略均一な輝度又は色の領域が抽出される。複数のパネルからなる表示部全体で１つの画像が表示される場合、隣り合うパネル間での輝度差又は色差は視認しやすいところ、夫々の領域が抽出されて較正が行なわれる。これにより、複数のパネルからなる表示部で較正用の画像でない１つの画像を表示中であっても、各パネルにおける表示色又は輝度を補正することが可能である。
【００１７】
本発明では、時系列に連続する複数の画像の画像信号、即ち映像信号に基づく画像を表示部で表示している間に較正を行なうために、表示する映像信号に対して予め、複数の異なる輝度又は色別に、較正に用いることができる領域が抽出される。映像信号の内の抽出された画像を特定するための情報、抽出された画像内の較正に用いる領域を特定する座標情報等の情報が、その輝度又は色の情報と共に記憶される。記憶されてある情報に基づき、当該映像信号に基づく較正が可能となる。
【発明の効果】
【００１８】
本発明による場合、較正に用いる領域を画像内から抽出するので、較正用の特別なカラーチャートなどの画像を表示することなく、所望の画像を表示中に較正することが可能である。表示中に較正が可能であるから、較正のために画像の表示を停止する必要もない。特に、常時的にコンテンツを出力する必要がある電子看板などの用途に用いられる表示システムにて、電子看板の機能を失わせることなく輝度又は色の較正が可能である点、優れた効果を奏する。
【図面の簡単な説明】
【００１９】
【図１】本実施の形態における表示システムの構成を示すブロック図である。
【図２】本実施の形態における制御装置によって実現される機能を示す機能ブロック図である。
【図３】制御装置の領域分割部及び領域抽出部により実施される処理手順の一例を示すフローチャートである。
【図４】図３のステップＳ３における較正用領域の抽出の詳細な処理手順の一例を示すフローチャートである。
【図５】領域分割部により分割されるフレーム画像の一例を示す説明図である。
【図６】領域抽出部の機能により特定される較正用領域の例を示す説明図である。
【図７】ブロック画像に分割され、夫々から較正用領域が抽出されるコンテンツデータのフレーム画像の例を示す説明図である。
【図８】ブロック画像に分割され、夫々から較正用領域が抽出されるコンテンツデータのフレーム画像の例を示す説明図である。
【図９】ブロック画像に分割され、夫々から較正用領域が抽出されるコンテンツデータのフレーム画像の例を示す説明図である。
【図１０】ブロック画像に分割され、夫々から較正用領域が抽出されるコンテンツデータのフレーム画像の例を示す説明図である。
【図１１】制御装置ｄ４のタイミング特定部及び較正部によって実行される処理手順の一例を示すフローチャートである。
【図１２】図１１のステップＳ１９における較正処理の詳細な処理手順の一例を示すフローチャートである。
【発明を実施するための形態】
【００２０】
以下、本発明をその実施の形態を示す図面に基づき具体的に説明する。
【００２１】
図１は、本実施の形態における表示システムの構成を示すブロック図である。表示システムは、複数の表示装置１０からなる表示部１と、表示装置１０へ入力する画像信号に対する処理を行なう信号処理装置２と、表示部１を撮像する撮像装置３と、表示装置１０群にて表示される表示画像の輝度又は色の較正を実施する制御装置４とを含む。
【００２２】
本実施の形態における表示システムは電子看板として利用され、そのため表示部１は、人が集まる街中の視認しやすい場所に設置されている。信号処理装置２は、例えば表示部１の近傍に設置されており、後述する方式に対応したケーブルにて表示部１の各表示装置１０と接続されている。撮像装置３は、表示部１全体を撮像範囲とするように設置されている。例えば、撮像装置３は、電子看板である表示部１の正面上方の壁面又は天井などに取り付けられている。制御装置４は、信号処理装置２及び撮像装置３の両者と接続されている。制御装置４は例えば信号処理装置２と共に表示部１の近傍に設置されている。図１及び以下の説明では表示装置１０群、信号処理装置２、撮像装置３、及び制御装置４は夫々、有線にて接続される構成とする。なお本発明では、これらは無線によって信号の送受信を行なう構成であってもよい。
【００２３】
このように構成される表示システムは、信号処理装置２が、制御装置４から出力されたコンテンツデータから画像信号を生成して表示部１の表示装置１０へ各入力して画像を表示する。ここでいうコンテンツは、動画像、静止画像、又は音声と多重化された情報のいずれでもよく、広告宣伝用のコンテンツである。
【００２４】
特に本実施の形態における表示システムは、表示部１にて表示される画像の品質を向上又は画質を維持するため、画像信号が示す画像の輝度又は色の階調値と、実際に表示部１の表示装置１０夫々に表示される画像の輝度又は色との間の関係を特定し、これに基づき画像信号を補正する較正機能を有する。特に、表示システムは、並置された表示装置１０間の輝度差、又は色差を低減させるように補正し、画質の高いコンテンツを出力する。本実施の形態の表示システムで実現される較正機能の概要は以下である。制御装置４が、電子看板のために利用するコンテンツに基づく画像を表示している表示部１を撮像装置３で撮像し、表示されるべき画像の輝度又は色の階調値と、撮像画像から得られる輝度又は色の階調値とを比較し、入力した画像信号の階調値と表示された画像の画像信号の階調値との間の関係を特定し、求めた関係から入力する画像信号に対する補正量を算出して補正する。このため制御装置４は、宣伝広告用のコンテンツに基づく画像の中から、較正に用いることができる領域を表示装置１０夫々に対応させて抽出し、抽出した画像領域が表示部１に表示されるタイミングを特定し、特定したタイミングに、撮像装置３で撮像処理を行ない、撮像された画像中の対応する領域の輝度又は色の情報を夫々取得して、入力した画像信号の輝度又は色と比較し、表示装置１０毎に補正量を算出して補正を行なう。
【００２５】
以下、各構成部及び各構成部によって実行される処理について詳細を説明する。
【００２６】
表示部１は、４台の表示装置１０を用いる。表示装置１０は２段２列に碁盤目状に並置され、並置表示装置１０群を構成している。なお表示部１は、１台の表示装置１０にて構成されてもよいし、３段３列、２段３列など任意の数で並置表示装置１０群が構成されてもよい。
【００２７】
表示装置１０は、パネル１１を備える。パネル１１は、ＬＣＤ又はプラズマディスプレイを用いる。表示装置１０は後述するように信号処理装置２から出力される画像信号に基づきパネル１１に画像を表示する。なお表示装置１０は夫々スピーカを備えて、信号処理装置２から出力される音声信号に基づき音声を出力するようにしてもよい。ただし、スピーカは表示部１とは別に設置されてもよい。
【００２８】
信号処理装置２は、制御部２０、記憶部２１、入出力部２２、画像処理部２３、音声処理部２４、操作部２５、及び電源制御部２６を備える。
【００２９】
制御部２０は、ＣＰＵ（Central Processing Unit）を用い、図示しないコンピュータプログラムに基づき各構成部を制御する。
【００３０】
記憶部２１は、ハードディスクドライブ又はＳＳＤ（Solid State Drive）等の外部記憶装置を用いる。記憶部２１は、フラッシュメモリを用いてもよい。記憶部２１には、表示部１で表示画像と出力する音声とが多重化されたデータなどが記憶されてもよいし、後述するように各表示装置１０へ入力される画像信号に対して各適用される補正量の情報が記憶されてもよい。
【００３１】
入出力部２２は、信号処理装置２と、各表示装置１０及び制御装置４との間のコンテンツデータ、並びに、制御用のデータを入出力するためのインタフェースである。具体的には入出力部２２は、ＤＶＩ（Digital Visual Interface）端子及びＨＤＭＩ（High-Definition Multimedia Interface）端子を有する。これにより信号処理装置２は、制御装置４と所定の方式としてＴＭＤＳ（Transition Minimized Differential Signaling ）方式でシリアル通信を行ない、制御装置４からコンテンツデータを入力し、表示部１の複数の表示装置１０夫々へ画像信号を出力する。また入出力部２２は、ＴＣＰ（Transmission Control Protocol ）又はＵＤＰ（User Datagram Protocol）などの通信プロトコルで画像信号を送受信するためのＬＡＮ端子を有し、外部装置と通信により制御用のデータを送受信する。なお、入出力部２２はＬＡＮ端子を介して、制御装置４からコンテンツデータを受信してもよい。入出力部２２は更に、ＵＳＢ（Universal Serial Bus）端子又はＩＥＥＥ１３９４端子を有する構成としてもよい。
【００３２】
画像処理部２３は画像処理用の集積回路を用い、入出力部２２にて入力したコンテンツデータから画像信号を抽出し、画像信号に対して輝度又は色、色空間等の補正、及び各種フィルタ処理を含む所定の画像処理を実行する。画像処理部２３は、制御部２０からの指示に基づき、画像処理後の画像信号を入出力部２２から表示部１の各表示装置１０へ出力させる。このとき画像処理部２３は、制御部２０により取得されてある並置表示装置１０群の配列情報に基づき、各表示装置１０へ各々に対応する画像信号を出力する。配列情報とは、例えば表示部１の、向かって左上の表示装置１０を０（ゼロ）段目０（ゼロ）列（０，０）の表示装置１０とし、右下の表示装置１０を１段目１列（１，１）の表示装置１０と識別する情報である。制御部２０は、予め記憶部２１に記憶されている配列情報を取得してもよいし、外部から入力される配列情報を取得してもよい。また画像処理部２３は、制御部２０によってソフトウェア的に実現されてもよい。
【００３３】
音声処理部２４は、入出力部２２により入力した音声を含むコンテンツデータから音声信号を抽出し、音声信号に対し、補正及びフィルタ処理を含む所定の処理を実行する。音声処理部２４は、制御部２０からの指示に基づき処理後の音声信号を図示しないスピーカへ出力し、音声を出力させる。なお、信号処理装置２は、音声処理部２４を備えていなくともよい。
【００３４】
操作部２５は、電源スイッチ、切替スイッチ、及び再生／停止スイッチを少なくとも含む。操作部２５の電源スイッチ、切替スイッチ、及び再生／停止スイッチは、表示システムのオペレータが操作することが可能に信号処理装置２に形成されている。電源スイッチは、信号処理装置２の電源のオン及びオフを切り替えるためのスイッチである。切替スイッチは、表示部１を構成する複数の表示装置１０の内のいずれか１つの制御を行なうためのスイッチであり、同時に、複数の表示装置１０を選択するためのスイッチである。再生／停止スイッチは、オペレータがコンテンツの再生／停止を指示するスイッチであり、画像処理部２３及び音声処理部２４へのコンテンツデータの入力を開始／停止させるため、即ち表示部１への画像信号の入力を開始／停止させるためのスイッチである。操作部２５は、いずれのスイッチが押下されたかを検知すると、制御部２０へ通知する。
【００３５】
なお操作部２５は、信号処理装置２と無線で通信することが可能なリモートコントローラに備えられる構成としてもよい。この場合、リモートコントローラは操作部の各スイッチが押下されることに対応する無線信号を信号処理装置２へ送信する。無線通信の通信媒体は赤外光であってもよいし、電磁波であってもよい。また、操作部２５の各スイッチの押下に対応する信号を後述の制御装置４から、オペレータの操作に応じて操作指示として送信し、信号処理装置２がこれを受信し、操作指示に基づき動作するようにしてもよい。
【００３６】
電源制御部２６は、外部の電力供給源（図示せず）から供給される電力を制御する。操作部２５の電源スイッチが押下されたことを通知された制御部２０は、電源制御部２６に外部から電力を供給させるか、又は電力の供給を遮断する。電源制御部２６は、電力の供給を受けると信号処理装置２全体に電力を供給する。逆に、電源制御部２６は、電力の供給が遮断されるときは信号処理装置２全体への電力の供給が遮断される。
【００３７】
更に信号処理装置２は、例えばテレビジョン放送のアンテナ及びチューナを備え、制御装置４から出力されるコンテンツデータのみならず、放送信号を受信して表示部１で表示すべく出力するようにしてもよい。
【００３８】
撮像装置３は、例えばＵＳＢ端子を有するデジタルカメラを用い、ＵＳＢ端子にて後述の制御装置４と接続される。制御装置４との接続はＵＳＢに限られない。撮像装置３は、ＵＳＢ端子を介して制御装置４から撮像要求信号を入力し、撮像要求信号を入力した場合に表示部１を全体的に撮像する。撮像装置３は、撮像画像の画像信号を、ＵＳＢ端子を介して制御装置４へ送信する。なお、撮像装置３が表示部１を適切に撮像できるように、フォーカスの設定、シャッター速度、絞り、ホワイトバランス、色空間、撮像画像のファイルフォーマット等の設定が予めしてある。特に、動画像であるコンテンツのデータに基づく画像が表示部１で表示されている間に撮像を行なうため、シャッター速度は、映像のフレームレートよりも速く設定されてある。
【００３９】
制御装置４は、パーソナルコンピュータを用い、制御部４０、記憶部４１、一時記憶部４２、読出部４３、入出力部４４、及び接続部４５を備える。
【００４０】
制御部４０は、ＣＰＵを用い、記憶部４１に記憶してある制御プログラム４Ｐに基づき、後述するような各機能を実現することによって表示システムの制御、及び表示システムの表示部１における輝度又は色の較正を実現する。
【００４１】
記憶部４１は、ハードディスクドライブ又はＳＳＤ等の外部記憶装置を用いる。記憶部４１は、フラッシュメモリを用いてもよい。記憶部４１には上述した制御プログラム４Ｐが記憶されているほか、制御部４０が処理時に参照する情報が予め記憶されてもよい。また記憶部４１は、制御部４０の処理により求められる情報を記憶する。特に、記憶部４１は、制御部４０が後述する処理を行なって得られるコンテンツ毎の較正情報４１１を記憶し、後に制御部４０が参照することが可能である。更に記憶部４１は、較正によって求められる補正情報４１２を記憶する。
【００４２】
一時記憶部４２は、ＳＲＡＭ（Static Random Access Memory）又はＤＲＡＭ（Dynamic Random Access Memory）等のＲＡＭを用いる。一時記憶部４２は、制御部４０が記憶部４１から制御プログラム４Ｐを読み出す際に用いられる。また、一時記憶部４２は、制御部４０の処理により発生した情報、例えば処理中の画像データ、画像データから抽出された情報などを一時的に記憶する。
【００４３】
読出部４３は、ディスクドライブを用いる。読出部４３は、ＣＤ（Compact Disk）、ＤＶＤ（Digital Versatile Disk）、ＢＤ（Blu-Ray（登録商標） Disk）、フラッシュメモリ、又はフレキシブルディスクなどである記録媒体６に記録されている情報を読み出す。本実施の形態の記録媒体６には、制御プログラム６Ｐが記録されている。制御部４０は、読出部４３によって記録媒体６に記録されている情報を読み出し、記憶部４１又は一時記憶部４２に記憶する。記憶部４１に記憶されている制御プログラム４Ｐは、記録媒体６から読み出された制御プログラム６Ｐの複製であってもよい。
【００４４】
記録媒体６は制御装置４から分離可能に構成される記録媒体であればよく、他に、磁気テープ又はカセットテープ等のテープ系、ハードディスク又は上述のフレキシブルディスク等の磁気ディスク系、上述のＣＤ、ＤＶＤ、ＢＤ等の光ディスク系、メモリカード又は光カードなどのカード系、マスクＲＯＭ（Read Only Memory）、ＥＰＲＯＭ（Erasable Programmable ROM ）、ＥＥＰＲＯＭ（登録商標；Electrically EPROM）、又はフラッシュＲＯＭなどの半導体メモリであってもよい。また、制御装置４が備える入出力部４４は、後述するようにＬＡＮ端子を有してもよいから、制御プログラム６Ｐは、通信網を介して外部からダウンロードされてもよく、電子的な伝送で具現化された搬送波に埋め込まれたコンピュータデータ信号の形態でも実現され得る。
【００４５】
入出力部４４は、制御装置４と、信号処理装置２及び外部の記憶装置５との間のインタフェースである。具体的には入出力部４４は、ＤＶＩ端子及びＨＤＭＩ端子を有し、これにより制御装置４は、記憶装置５からコンテンツデータを読み出し、信号処理装置２へコンテンツデータ及び制御用の情報を送信する。入出力部４４は、ＬＡＮ端子を有し、外部機器との通信を行なってもよいし、ＬＡＮ端子を介して信号処理装置２との間でデータを送受信してもよい。入出力部４４は更に、ＵＳＢ端子又はＩＥＥＥ１３９４端子を有する構成としてもよい。
【００４６】
接続部４５は、例えばＵＳＢ端子を有し、撮像装置３と接続される。接続部４５は、制御装置４が撮像装置３と接続し、撮像装置３における撮像を制御するための信号を入出力できればＵＳＢ端子に限られない。制御装置４は、接続部４５を介して撮像装置３へ撮像要求信号を送信し、撮像画像の画像信号を受信する。
【００４７】
記憶装置５は、大容量のＨＤＤ又はＳＳＤ等を用いて画像コンテンツデータを記憶する。記憶装置５が記憶するコンテンツデータは、制御装置４から読み出しが可能である。なお記憶装置５はＤＶＤ等の記録媒体であって、制御装置４から読み出しが可能な構成であってもよい。記憶装置５は、制御装置４が備える記憶部４１であってもよい。コンテンツは、電子看板として機能する表示部１に表示される宣伝広告用のコンテンツである。
【００４８】
図２は、本実施の形態における制御装置４によって実現される機能を示す機能ブロック図である。制御装置４の制御部４０は、記憶部４１に記憶されている制御プログラム４Ｐを読み出して実行することにより、領域分割部４０１、領域抽出部４０２、タイミング特定部４０３、及び較正部４０４として機能し、パーソナルコンピュータを表示システムの制御装置４として動作させ、以下に説明する各処理を実施して較正を行なう。なお、領域分割部４０１、領域抽出部４０２、タイミング特定部４０３、及び較正部４０４は、集積回路としてハードウェア的に構成されてもよい。
【００４９】
領域分割部４０１は、制御部４０が読み出したコンテンツデータから画像を取得し、並置表示装置１０群の配列情報に基づき、画像をブロックに分割する。コンテンツが動画像である場合、領域分割部４０１はフレーム単位で画像を取得し、各フレーム画像を配列情報に基づき分割する。また領域分割部４０１は、各々が並置表示装置１０群のいずれの表示装置１０に対応するかを特定して分割する。つまり、領域分割部４０１は、画像を実際に並置表示装置１０群にて表示されるように分割し、いずれに属するかが後述する他の機能により特定できるようにする。配列情報は、制御部４０が予め信号処理装置２から取得して記憶部４１に記憶しておいてもよいし、領域分割部４０１が信号処理装置２から取得してもよい。
【００５０】
領域抽出部４０２は、領域分割部４０１から出力された分割後の複数のブロック画像夫々から、表示される輝度又は色のキャリブレーション（較正）を行なうために、均一な輝度又は色である較正用領域を抽出する。なお領域抽出部４０２は、較正用領域の抽出を、複数の異なる輝度又は色について行なう。例えば領域抽出部４０２は、輝度０（ゼロ）から最大輝度までを４段階、１０段階、又は１８段階等の複数段階に区別し、夫々の段階の輝度に合致する画素を含む領域を複数のフレーム画像から夫々抽出する。例えば、最大輝度が（２５５，２５５，２５５）であって４段階に区別する場合であれば、ＲＧＢ値が（０，０，０）、（８５，８５，８５）、（１７０，１７０，１７０）、（２５５，２５５，２５５）の４段階夫々の較正用領域を抽出する。最大輝度が（２５５，２５５，２５５）であって１８段階に区別する場合であれば、ＲＧＢ値が（０，０，０）、（１５，１５，１５）、…、（２４０，２４０，２４０）、（２５５，２５５，２５５）の１８段階夫々の較正用領域を抽出する。また領域抽出部４０２は、例えば１８色の異なる色夫々に合致する画素を複数のフレーム画像から夫々抽出する。例えば領域抽出部４０２は、ＲＧＢ値が赤（２５５，０，０）、緑（０，２５５，０）、青（０，０，２５５）夫々の較正用領域を抽出する。
【００５１】
領域抽出部４０２は、較正用領域を抽出したフレーム画像を特定するフレーム番号と、抽出した輝度又は色を示す情報と、フレーム画像中又はブロック画像中における較正用領域を示す座標情報とを含む較正情報４１１を記憶部４１に記憶する。座標情報は例えば、ブロック画像又はフレーム画像の水平方向をｘ軸、垂直方向をｙ軸とし、最も左上の画素を原点（０，０）として１画素を１単位として表される。座標情報は他の方法で表わされてもよい。
【００５２】
タイミング特定部４０３は、記憶された較正情報４１１に基づいて実際に較正を行なうにあたり、較正用に用いるコンテンツデータを出力した場合に、較正用領域を含むフレーム画像が表示される時刻（コンテンツデータに基づく画像の表示開始からの経過時間）を算出する。表示時刻は例えば以下のように算出できる。
表示時刻＝フレーム番号×コンテンツのフレームレート
フレーム番号は、記憶部４１に記憶した較正情報４１１により特定される較正用領域を含むフレーム番号である。タイミング特定部４０３は、較正に用いるコンテンツデータが制御部４０により信号処理装置２へ出力されたときに、コンテンツデータが出力されたことを表す信号を撮像装置３へ出力して起動させ、算出された時刻に基づいて撮像を行なうべき時点で撮像要求信号を出力する。これによりタイミング特定部４０３は、較正用領域を含む画像を撮像部で撮像するように、撮像のタイミングを制御する。
【００５３】
なお、タイミング特定部４０３は、較正用領域を含む画像の表示タイミングと、撮像装置３による撮像タイミングとの同期の制御について、入出力部４４及び接続部４５、並びに信号処理装置２における入出力部２２における伝送遅延及び測定（撮像処理）遅延に係る遅延時間を測定しておき、遅延時間を考慮して撮像要求信号を出力することが好ましい。また、タイミング特定部４０３は、コンテンツデータのフレームレートに比較して、遅延時間が微小である（例えばフレームレートの１／１０以下）シャッターを使用できる撮像装置３を用い、遅延時間を考慮せずに撮像要求信号を出力する構成としてもよい。
【００５４】
較正部４０４は、制御部４０の処理によって較正に用いるコンテンツデータの入出力部４４からの出力が開始されると、記憶された較正情報４１１に基づいて較正処理を行なう。較正部４０４は、コンテンツデータの出力が開始された場合、タイミング特定部４０３の制御により撮像された撮像画像の画像信号を接続部４５から入力する。較正部４０４は、入力した撮像画像信号に基づく撮像画像と、対応するフレーム画像の較正用領域とを比較する。較正部４０４は撮像画像から較正用領域に対応する領域を抽出して輝度又は色についての測定値を算出し、較正用領域における輝度又は色の値と比較し、比較結果に応じて補正量を算出し、画像信号を補正する。
【００５５】
なお、較正部４０４は、並置される表示装置１０毎に、測定値と較正用領域における輝度又は色の値との間の関係から入出力特性を補正量として求め、補正情報４１２として記憶し、信号処理装置２へ出力してもよい。そして、信号処理装置２の画像処理部２３にて、各表示装置１０に対応する補正情報４１２に基づき、入力するコンテンツデータの画像信号に対して補正を行なってもよい。信号処理装置２は、入力される種々の画像信号のＲＧＢ値に対し、較正部４０４から得た補正情報４１２を汎用的に用いて補正することが可能である。
【００５６】
このように構成される表示システムにて、表示部１における輝度又は色が較正される手順を、順を追って詳細に説明する。図３は、制御装置４の領域分割部４０１及び領域抽出部４０２により実施される処理手順の一例を示すフローチャートである。制御装置４の制御部４０は、領域分割部４０１及び領域抽出部４０２により、記憶装置５から読み出すコンテンツデータを用いて較正を行なう前に予め、以下に示す手順により各処理を実行する。なお、以下に示す処理では、コンテンツデータは動画像である。
【００５７】
制御部４０は、記憶装置５からコンテンツデータを入出力部４４により読み出し（ステップＳ１）、最初のフレーム画像（フレーム番号０（ゼロ））を測定用画像の抽出対象とする（ステップＳ２）。具体的には制御部４０は、抽出対象のフレーム画像のフレーム番号に０（ゼロ）を代入する。
【００５８】
制御部４０は、抽出対象のフレーム画像に対し、較正用領域の抽出処理を実行する（ステップＳ３）。制御部４０は、抽出処理の結果、較正に使用可能であるか否かを判断する（ステップＳ４）。具体的には、制御部４０は較正用領域を抽出できたか否かを判断する。制御部４０は、較正に使用可能であると判断した場合（Ｓ４：ＹＥＳ）、較正情報４１１を記憶部４１に記憶し（ステップＳ５）、予め定めてある全ての輝度又は色について較正用領域の抽出が完了したか否かを判断する（ステップＳ６）。制御部４０は、全ての輝度又は色について較正用領域の抽出が完了したと判断した場合（Ｓ６：ＹＥＳ）、処理を終了する。
【００５９】
ステップＳ４にて較正に使用可能でないと判断した場合（Ｓ４：ＮＯ）、及びステップＳ６にて全ての輝度又は色について較正用領域の抽出が完了していないと判断した場合（Ｓ６：ＮＯ）、制御部４０は、次のフレーム画像が存在するか否かを判断する（ステップＳ７）。制御部４０は、次のフレーム画像が存在すると判断した場合（Ｓ７：ＹＥＳ）、次のフレーム画像を測定用画像の抽出対象とし（ステップＳ８）、処理をステップＳ３へ戻す。制御部４０は、次のフレーム画像が存在しないと判断した場合（Ｓ７：ＮＯ）、そのまま処理を終了する。
【００６０】
図４は、図３のステップＳ３における較正用領域の抽出の詳細な処理手順の一例を示すフローチャートである。
【００６１】
制御部４０は、カウント用の変数Ｍに１を代入する（ステップＳ３０１）。制御部４０は、領域分割部４０１の機能により、フレーム画像を並置表示装置１０群の配列情報に基づき１〜Ｎのブロック画像に分割する（ステップＳ３０２）。
【００６２】
図５は、領域分割部４０１により分割されるフレーム画像の一例を示す説明図である。本実施の形態のように２段２列の配置である場合、領域分割部４０１は、図５中の破線で示すように画像を４つのブロック画像（Ｎ＝４）に分割し、夫々領域１（左上）、領域２（右上）、領域３（左下）及び領域４（右下）と特定する。具体的には、領域分割部４０１は、表示部１の０（ゼロ）段目０（ゼロ）列（０，０）の表示装置１０に対応する領域を領域１とし、１段目１列（１，１）の表示装置１０に対応する領域を領域４として特定する。
【００６３】
図４のフローチャートに戻り、説明を続ける。
次に制御部４０は、最初のブロック画像（番号１）を較正用領域の抽出対象画像に設定する（ステップＳ３０３）。具体的には、制御部４０は、較正用領域の抽出対象画像の番号に、ブロック画像の番号、即ち領域の番号１を代入する。
【００６４】
制御部４０は、領域抽出部４０２により、抽出対象のブロック画像の画素を走査して順次、各画素の輝度又は色の強度を表す値を順次参照し（ステップＳ３０４）、許容される範囲で較正対象の輝度又は色に合致するか、即ち略均一な輝度又は色に合致するか否かを判定する（ステップＳ３０５）。
【００６５】
詳細には、例えばコンテンツデータから取得した画像の画素の色がＲＧＢ（Ｒ：赤、Ｇ：緑、Ｂ：青）夫々の強度を示す階調値で表わされる場合、較正対象のＲＧＢ値を（Ｒｃ，Ｇｃ，Ｂｃ）とすると、制御部４０は、領域抽出部４０２の機能により、各画素の色について以下の三式を全て満たすものを合致と判断する。
Ｒｃ−δR ≦Ｒ≦Ｒｃ＋δR 
Ｇｃ−δG ≦Ｇ≦Ｇｃ＋δG 
Ｂｃ−δB ≦Ｂ≦Ｂｃ＋δB 
このときδR 、δG 、δB の値夫々は、ＲＧＢ値の最大値の１／３２程度を目安とする。例えば、ＲＧＢ値が夫々８ビットのデジタル信号で表わされる場合、ＲＧＢ値は０〜２５５であるからδR 、δG 、δB の値は夫々「８」となる。なお、δR 、δG 、δB の値は、輝度のステップを細かく設定する場合には小さい値に設定するなど、適宜設定すればよい。
【００６６】
なおステップＳ３０４において、領域抽出部４０２は、エッジが多い画像を較正に用いないように、全画素を１画素ずつ参照して特定の輝度又は色に合致するか否かを判断するのではなく、複数の画素よりなる例えば３×３画素のブロック毎に参照するようにしてもよい。このときブロック毎の輝度又は色は、平均値又は中央値等を算出して用いてもよい。
【００６７】
制御部４０は、領域抽出部４０２の機能により、ステップＳ３０５で合致すると判断した場合（Ｓ３０５：ＹＥＳ）、合致すると判断された画素を抽出し（ステップＳ３０６）、抽出対象のブロック画像全体に対し処理したか否かを判断する（ステップＳ３０７）。制御部４０は、処理が未完了であると判断した場合（Ｓ３０７：ＮＯ）、処理をステップＳ３０４へ戻して次の画素についてステップＳ３０５の判断処理を行なう。
【００６８】
制御部４０は、領域抽出部４０２の機能により、抽出対象のブロック画像全体に対し処理したと判断した場合（Ｓ３０７：ＹＥＳ）、較正対象の輝度又は色の画素、即ちＲＧＢ値（Ｒｃ，Ｇｃ，Ｂｃ）に合致する画素を閾値ｐ以上抽出できたか否かを判断する（ステップＳ３０８）。閾値ｐは例えば３０％などの割合又は画素数である。制御部４０は、閾値ｐ以上抽出できたと判断した場合（Ｓ３０８：ＹＥＳ）、抽出した画素に基づき較正用領域を特定する（ステップＳ３０９）。
【００６９】
図６は、領域抽出部４０２の機能により特定される較正用領域の例を示す説明図である。図６中のタイル状の各矩形は、較正対象の輝度又は色、即ちＲＧＢ値（Ｒｃ，Ｇｃ，Ｂｃ）に合致するであるとして抽出された画素を示す。図６中の太線は、以下の処理によって求められる較正用領域を示し、図５中の領域１内の太線に囲まれる範囲に対応する。領域抽出部４０２は、図６に示されるようにアメーバのような形状に抽出された画素群の外接矩形（破線）を特定し、外接矩形を暫定的に較正用領域とする。領域抽出部４０２は、暫定的な較正用領域の外周の画素について夫々、水平方向又は垂直方向に画素が連続して並んでいるか否かの判定を行なう。即ち、領域抽出部４０２は、暫定的較正用領域の外周ライン毎に、抽出された画素によって埋め尽くされているか否かの判定を行なう。領域抽出部４０２は、画素が連続して並んでいない場合、当該外周ラインの次に内側のラインを暫定的較正用領域の外周ラインとし、当該外周ラインについて同様の判定を行なう。領域抽出部４０２は、水平方向又は垂直方向全ての外周ラインで画素が連続して並んでいると判定した場合に、当該外周ラインを含む内側の矩形領域（図６中の太線）を較正用領域として確定し、特定する。
【００７０】
図４のフローチャートに戻り、説明を続ける。
制御部４０は、領域抽出部４０２の機能により、較正用領域を特定できたか否かを判断し（ステップＳ３１０）、特定できた場合に（Ｓ３１０：ＹＥＳ）、当該フレーム画像を較正に使用可能であると判断し（ステップＳ３１１）、処理を次へ進める。
【００７１】
制御部４０は、ステップＳ３０８にて閾値ｐ以上抽出できないと判断した場合（Ｓ３０８：ＮＯ）、及びステップＳ３１０にて較正用領域を特定できないと判断した場合（Ｓ３１０：ＮＯ）、当該フレーム画像を較正に使用不可能であると判断し（ステップＳ３１２）、処理を次へ進める。
【００７２】
次に制御部４０は、領域抽出部４０２の機能により、カウント用の変数Ｍが、フレーム画像の分割数（ブロック画像の個数）と同一であるか否かを判断する（ステップＳ３１３）。即ち制御部４０は、全てのブロック画像について処理を行なったか否かを判断する。制御部４０は、変数Ｍがフレーム画像の分割数と同一であると判断した場合（Ｓ３１３：ＹＥＳ）、較正用領域の抽出処理を終了し、処理を図３のステップＳ４へ戻す。
【００７３】
制御部４０は、ステップＳ３１３にて変数Ｍがフレーム画像の分割数と異なり、全てのブロック画像について処理を行なっていないと判断した場合（Ｓ３１３：ＮＯ）、変数Ｍに１を加算し（ステップＳ３１４）、処理をステップＳ３０３へ戻す。
【００７４】
これにより、電子看板の機能を発揮するべく表示部１に表示する宣伝広告用のコンテンツデータを、較正にも用いることが可能となる。
【００７５】
図３及び図４に示した処理手順を、具体例を挙げて説明する。
図７から図１０は、ブロック画像に分割され、夫々から較正用領域が抽出されるコンテンツデータのフレーム画像の例を示す説明図である。図７から図１０では、８ビットのＲＧＢ値をモノクロの４段階（２５５，２５５，２５５）、（１７０，１７０，１７０）、（８５，８５，８５）、（０，０，０）に区別した場合に、夫々のＲＧＢ値の較正用領域が抽出される例を示す。
【００７６】
図７に示す例のフレーム画像は、広告宣伝用のあるコンテンツの内のＮ１番目のフレーム画像である。このフレーム画像は、「○○株式会社」のコーポレートステートメントを表示するフレーム画像であり、背景に「白」が使われている。当該フレーム画像からは、以下に説明するように最大輝度となるＲＧＢ値が（２５５，２５５，２５５）である較正用領域が抽出される。
【００７７】
制御装置４の制御部４０は、領域分割部４０１の機能により、図７に示すように表示部１の並置表示装置１０群（図１参照）の配置に対応するように領域１、領域２、領域３、及び領域４のブロック画像に分割する。次に制御部４０は、領域抽出部４０２の機能により、まず、領域１のブロック画像の画素を走査し、４段階のＲＧＢ値の内の（２５５，２５５，２５５）に合致する画素値を有する画素が存在すると判断し、（２５５，２５５，２５５）の画素値を有する画素を抽出し、抽出された画素のから矩形領域を特定する。これにより、図７中の領域１内の領域Ａ１が抽出される。制御部４０は、フレーム番号「Ｎ１」、抽出したＲＧＢ値（２５５，２５５，２５５）、及び領域Ａ１の座標情報を較正情報４１１として記憶する。
【００７８】
同様にして制御部４０は、領域２、領域３、及び領域４のブロック画像から夫々、他の表示装置１０に対応する較正用領域である領域Ｂ１、領域Ｃ１、及び領域Ｄ１を抽出し、フレーム番号「Ｎ１」、ＲＧＢ値（２５５，２５５，２５５）、並びに領域Ｂ１、領域Ｃ１、及び領域Ｄ１の座標情報を較正情報４１１として記憶する。
【００７９】
図８に示す例のフレーム画像は、図７に示した例と同一のコンテンツの内のＮ２番目のフレーム画像である。このフレーム画像は商品の画像を含み、背景に「薄いグレー」が使われている。当該フレーム画像からは、ＲＧＢ値が（１７０，１７０，１７０）である較正用領域が抽出される。
【００８０】
図８に示す例でも、制御装置４の制御部４０は、フレーム画像を領域１、領域２、領域３、及び領域４のブロック画像に分割し、各々のブロック画像から４段階のＲＧＢ値の内の（１７０，１７０，１７０）に合致する画素値を有する画素を抽出する。そして制御部４０は領域抽出部４０２の機能により、抽出した画素群を含む各々領域Ａ２、領域Ｂ２、領域Ｃ２、及び領域Ｄ２を抽出する。そして制御部４０は、フレーム番号「Ｎ２」、ＲＧＢ値（１７０，１７０，１７０）、並びに、領域Ａ２、領域Ｂ２、領域Ｃ２、及び領域Ｄ２の座標情報を較正情報４１１として記憶する。
【００８１】
図９に示す例のフレーム画像は、図７に示した例と同一のコンテンツ内のＮ３番目のフレーム画像である。このフレーム画像は、商品又はサービスのイメージを表す風景画像を含み、背景は「濃いグレー」を含む。
【００８２】
図９に示す例でも同様に、制御装置４の制御部４０は、フレーム画像を領域１、領域２、領域３、及び領域４のブロック画像に分割し、各々のブロック画像から４段階のＲＧＢ値の内の（８５，８５，８５）に合致する画素値を有する画素を抽出できる。制御部４０は、領域抽出部４０２の機能により、抽出した画素群を含む各々の領域Ａ３、領域Ｂ３、領域Ｃ３、及び領域Ｄ３を抽出する。そして制御部４０は、フレーム番号「Ｎ３」、ＲＧＢ値（８５，８５，８５）、並びに領域Ａ３、領域Ｂ３、領域Ｃ３、及び領域Ｄ３の座標情報を較正情報４１１として記憶部４１に記憶する。
【００８３】
図１０に示す例のフレーム画像は、図７に示した例と同一のコンテンツ内のＮ４番目のフレーム画像である。このフレーム画像は、企業のコーポレートステートメントを表示するフレーム画像であり、背景に「黒」が使われている。当該フレーム画像からは、最小輝度となるＲＧＢ値が（０，０，０）である較正用領域が抽出される。
【００８４】
図１０に示す例でも同様に、制御装置４の制御部４０は、フレーム画像を領域１、領域２、領域３、及び領域４のブロック画像に分割し、各々のブロック画像から４段階のＲＧＢ値の内、較正用領域を抽出していないＲＧＢ値（０，０，０）に合致する画素値を有する画素を抽出する。そして制御部４０は、領域抽出部４０２の機能により、抽出した画素群を含む各々の領域Ａ４、領域Ｂ４、領域Ｃ４、及び領域Ｄ４を抽出する。そして制御部４０は、フレーム番号「Ｎ４」、ＲＧＢ値（０，０，０）、並びに領域Ａ４、領域Ｂ４、領域Ｃ４、及び領域Ｄ４の座標情報を較正情報４１１として記憶部４１に記憶する。
【００８５】
図７から図１０に示したように、較正用の特別な基準となるカラーチャートではなく、宣伝広告用のコンテンツに含まれる画像を較正用の画像とすることができる。
【００８６】
なお、上述の図７から図１０に示した例では、同一のフレーム画像からは４つの並置表示装置１０群の配列情報に応じた４つのブロック画像が全て抽出され、且つ、各ブロック画像からは同一のＲＧＢ値の較正用領域が抽出された。しかしながら本発明はこれに限らず、１つのフレーム画像からは１つ、２つ又は３つのブロック画像しか抽出されず、且つ、各ブロック画像から抽出される較正用領域の輝度又は色は異なってもよい。ただし、同一の表示装置１０に対応する領域１から４夫々に対して、任意の４つのフレーム画像から異なる輝度又は色の較正用領域が抽出されるべきである。つまり例えば、Ｎｘ番目のフレーム画像の領域１からはＲＧＢ値が（２５５，２５５，２５５）の較正用領域、領域２からは（１７０，１７０，１７０）の較正用領域が抽出されるなどしてもよい。
【００８７】
次に、図３及び図４に示した処理によって、コンテンツデータに対して記憶された較正情報に基づき、較正が実行される手順を説明する。
【００８８】
図１１は、制御装置４のタイミング特定部４０３及び較正部４０４によって実行される処理手順の一例を示すフローチャートである。信号処理装置２が操作部２５にて、オペレータによりコンテンツの再生を指示する操作がされた場合、制御部２０が操作部２５からの通知を受けてこれを認識し、コンテンツデータの出力開始を要求する制御用のデータを制御装置４へ出力する。制御装置４の制御部４０は、入出力部４４からコンテンツデータの出力開始を要求する制御用データを入力したときに、以下の処理を実行する。
【００８９】
制御部４０は、コンテンツデータを記憶装置５から読み出し、入出力部４４を介した信号処理装置２への出力を開始する（ステップＳ１１）。これにより、コンテンツの再生が開始される。なお制御部４０は、信号処理装置２からの画像信号の出力及び表示部１での表示レートに間に合うように、適切な送信レートでコンテンツデータを出力し続ける。そして制御部４０は、コンテンツデータの出力を開始してからの経過時間を測定開始する（ステップＳ１２）。
【００９０】
次に制御部４０は、信号処理装置２からコンテンツデータの出力停止を要求する制御用のデータを入力したか否かを判断する（ステップＳ１３）。制御部４０は、コンテンツデータの出力停止を要求する制御用のデータを入力した場合（Ｓ１３：ＹＥＳ）、コンテンツの出力の処理を終了する。なお、コンテンツデータの出力停止を要求する制御用のデータは、信号処理装置２の操作部２５にて、オペレータによりコンテンツの停止を指示する操作がされ、制御部２０が操作部２５からの通知を受けてこれを認識したときに、信号処理装置２から制御装置４へ出力される。
【００９１】
制御部４０は、上述のコンテンツデータの出力停止を要求する制御用のデータを入力していないと判断した場合（Ｓ１３：ＮＯ）、入力するまで、以下の処理を繰り返す。
【００９２】
制御部４０は、コンテンツデータの出力を開始してからの経過時間に基づき、タイミング特定部４０３の機能により、較正情報４１１に含まれるフレーム番号のフレーム画像の表示時刻であるか否かを判断する（ステップＳ１４）。制御部４０は、表示時刻であると判断した場合（Ｓ１４：ＹＥＳ）、撮像要求信号を接続部４５から撮像装置３へ出力して撮像を実行させる（ステップＳ１５）。制御部４０は、表示時刻でないと判断した場合（Ｓ１４：ＮＯ）、処理をステップＳ１３へ戻す。
【００９３】
制御部４０は、撮像装置３での撮像を実行させた後、記憶してある較正情報４１１に含まれるフレーム番号のフレーム画像を全て撮像したか否かを判断する（ステップＳ１６）。制御部４０は、全て撮像していないと判断した場合（Ｓ１６：ＮＯ）、処理をステップＳ１３へ戻す。制御部４０は、全て撮像したと判断した場合（Ｓ１６：ＹＥＳ）、較正部４０４の機能により、全ての撮像画像の画像信号を撮像装置３から取得する（ステップＳ１７）。なお、制御部４０は、撮像を実行する都度に画像信号を取得してもよい。
【００９４】
制御部４０は、較正部４０４の機能により、取得した撮像画像を夫々、並置表示装置１０群の配列に応じてブロック画像に分割する（ステップＳ１８）。各ブロック画像には、並置表示装置１０を夫々識別する情報を対応付けておく。制御部４０は、較正部４０４の機能により、分割されたブロック画像に基づき表示装置１０毎の較正処理の実行を開始し（ステップＳ１９）、処理をステップＳ１３へ戻す。なお、較正処理の実行がされている間、コンテンツデータの出力は継続する。較正処理が完了した後は、出力されるコンテンツデータの画像信号は、較正部４０４による補正処理（後述のＳ９０７及びＳ９１１）、又は出力される補正情報４１２に基づき信号処理装置２で実行される補正処理によって補正される。
【００９５】
図１２は、図１１のステップＳ１９における較正処理の詳細な処理手順の一例を示すフローチャートである。制御部４０は、較正部４０４として以下の処理を行なう。
【００９６】
制御部４０は、一の表示装置１０を選択し（ステップＳ９０１）、対応するブロック画像から、選択した表示装置１０に対応する較正用領域を撮像した領域を特定する（ステップＳ９０２）。
【００９７】
ステップＳ９０２にて詳細には、制御部４０は、較正用領域の座標情報が記憶部４１の較正情報４１１として記憶してあるので、これに基づき較正用領域に対応する領域を特定する。このとき制御部４０は、撮像画像から表示部１中の画像が表示されている範囲を抽出し、抽出した範囲の画素数（水平方向及び垂直方向の大きさ）と、信号処理装置２へ出力したコンテンツデータのフレーム画像の画素数とを比較し、出力したフレーム画像中の較正用領域の位置及び大きさを撮像画像から抽出した範囲上の位置及び大きさに換算する。制御部４０は、撮像画像から抽出した範囲上で換算した位置及び大きさの較正用領域に対応する領域を抽出し、当該領域が存在する撮像画像中の位置に対応する表示装置１０の位置（左上（０，０）、右下（１，１）等）を特定し、これにより、選択した表示装置１０に対応する較正用領域を撮像した領域を特定することが可能である。
【００９８】
次に制御部４０は、特定した位置の表示装置１０毎に、ステップＳ９０２で特定した領域から所定の演算により測定値（輝度値又は色値）を算出する（ステップＳ９０３）。所定の演算としては例えば、制御部４０は、較正部４０４の機能により、較正用領域を撮像した領域の画素の画素値（ＲＧＢ値）の平均値を算出する。中央値を算出するなど他の演算方法を用いてもよい。
【００９９】
次に制御部４０は、較正部４０４の機能により、選択している表示装置１０についての測定値と表示されるべき輝度の輝度値とを比較する（ステップＳ９０４）。制御部４０は、差分が閾値以上であるか否かを判断し（ステップＳ９０５）、閾値以上であると判断した場合（Ｓ９０５：ＹＥＳ）、差分が閾値以上である測定値に対応する補正量を算出し（ステップＳ９０６）、輝度の補正を実施する（ステップＳ９０７）。制御部４０は、輝度について閾値未満であると判断した場合（Ｓ９０５：ＮＯ）、選択している表示装置１０については輝度の補正をする必要はなく、処理をそのまま次のステップＳ９０８へ進める。
【０１００】
制御部４０は、選択している表示装置１０についての測定値と表示されるべき色の色値とを比較する（ステップＳ９０８）。制御部４０は、差分が閾値以上であるか否かを判断し（ステップＳ９０９）、閾値以上であると判断した場合（Ｓ９０９：ＹＥＳ）、差分が閾値以上である測定値に対応する補正量を算出し（ステップＳ９１０）、色値の補正を実施する（ステップＳ９１１）。制御部４０は、色について閾値未満であると判断した場合（Ｓ９０９：ＮＯ）、処理をそのまま次のステップＳ９１２へ進める。
【０１０１】
実施される補正は種々の方法が考えられる。制御部４０は、算出した表示装置１０毎の測定値同士を比較し、最大の測定値と最小の測定値との間の差分が所定の閾値以上である場合に、補正する方法でもよい。また差分に対する閾値は、目視により差異が認められる値を予め設定しておいてもよいし、予め測色器を用いて測定した結果に基づき設定される構成としてもよい。制御部４０は、較正部４０４の機能により、並置表示装置１０群に夫々対応する測定値の内、最も輝度値が低い表示装置１０に対応する測定値に合うように、他の表示装置１０へ入力するコンテンツデータの画像信号の輝度を補正する。つまり、他の表示装置１０にて表示される輝度を低下させる補正を行なう。そのほか制御部４０は、各測定値と表示されるべき輝度値又は色値との間の差分が所定値以上である表示装置１０へ入力する画像信号を、表示されるべき輝度又は色となるように補正してもよい。特に、表示部１が１つの表示装置１０からなる場合は、この方法がとられる。
【０１０２】
なお、制御部４０は、ステップＳ９０７及びステップＳ９１１における補正の実施として、各表示装置１０に対応する輝度又は色毎の補正量を補正情報４１２として記憶部４１に記憶し、補正情報４１２を表示装置１０毎の情報として信号処理装置２へ出力するようにしてもよい。これにより、信号処理装置２の画像処理部２３にて補正情報４１２に基づき補正がなされる。
【０１０３】
制御部４０は、全ての表示装置１０について補正処理を実施したか否か判断し（Ｓ９１２）、否と判断した場合（Ｓ９１２：ＮＯ）、処理をステップＳ９０１へ戻して次の表示装置１０を選択し（Ｓ９０１）、以後の処理を繰り返す。
【０１０４】
制御部４０は、全ての表示装置１０について補正処理を実行したと判断した場合（Ｓ９１２：ＹＥＳ）、補正処理を終了し、図１１のフローチャートのステップＳ１３へ処理を戻す。以後、表示部１の表示装置１０群に入力される画像信号に補正がされる。
【０１０５】
図１２に示した処理を図７から図１０に示した例に当てはめれば、制御部４０は、まず（０，０）の位置にある表示装置１０を選択し（Ｓ９０１）、当該表示装置１０に対応する領域Ａ１、領域Ａ２、領域Ａ３、領域Ａ４を特定し（Ｓ９０２）、特定した各領域から２５５、１７０、８５、０に夫々対応する測定値を算出する（Ｓ９０３）。制御部４０は、測定値と、２５５、１７０、８５、０とを夫々比較し（Ｓ９０４）、差分が閾値以上である場合は補正を行なう。補正の方法は、他の表示装置１０における測定値を算出した後、最も輝度が低い表示装置１０に合わせるように入力する画像信号の輝度値を低下させる。また制御部４０は、他の（０，１）、（１，０）、（１，１）の位置にある表示装置１０を夫々選択し（Ｓ９０１）、各々の表示装置１０に対応する領域Ｂ１〜Ｂ４、領域Ｃ１〜Ｃ４、領域Ｄ１〜Ｄ４を特定し（Ｓ９０２）、測定値を算出し（Ｓ９０３）、輝度又は色を比較して補正する。
【０１０６】
このようにして、表示システムの表示部１に実際に表示するために利用するコンテンツを用い、コンテンツデータに基づく画像を表示している間に較正を実施し、補正量を特定して補正することができる。較正のためにコンテンツの再生を停止する必要もない。特に、常時的にコンテンツを出力する必要がある電子看板などの用途に用いられる表示システムにて、電子看板の機能を失わせることなく輝度又は色の較正が可能である点、優れた効果を奏する。
【０１０７】
上述の実施の形態では、表示システムは信号処理装置２と制御装置４とを別途備える構成とした。しかしながら本発明を実施するにあたり、制御装置４を別途備えず、制御装置の機能を信号処理装置２にて実現する構成としてもよい。
【０１０８】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１０９】
１  表示部
１０  表示装置
１１  パネル
２  信号処理装置
２２  入出力部
３  撮像装置
４  制御装置
４０  制御部
４０１  領域分割部
４０２  領域抽出部
４０３  タイミング特定部
４０４  較正部
４１  記憶部
４１１  較正情報
４４  入出力部
４５  接続部
４Ｐ  制御プログラム
６  記録媒体
６Ｐ  制御プログラム
【図１】
0005539298.tif 000002
【図２】
0005539298.tif 000003
【図３】
0005539298.tif 000004
【図４】
0005539298.tif 000005
【図５】
0005539298.tif 000006
【図６】
0005539298.tif 000007
【図７】
0005539298.tif 000008
【図８】
0005539298.tif 000009
【図９】
0005539298.tif 000010
【図１０】
0005539298.tif 000011
【図１１】
0005539298.tif 000012
【図１２】
0005539298.tif 000013